(57)【要約】【課題】提出文書の秘匿されるべき情報をバーコードに変換して表示するという技術は開示されているが、バーコードによって変換表示可能な文字数は限られてしまう。  また、コンピュータ画面上でのイメージ編集による改竄に対し何ら配慮されていない。【解決手段】前記課題を解決するために、提出先のサーバから配信された入力画面に指定された情報を文字や記号で入力して入力画面情報となし、入力された文字や記号情報を二次元コードに格納して同一画面に表示し、前記文字や記号および二次元コードが表示された提出文書画面を記録媒体に印刷する際の改竄防止方法であって、入力画面には、ユニーク情報が生成され、生成されたユニーク情報は入力画面情報と共に記録媒体に印刷される提出文書の改竄防止方法を提供する。【選択図】  図１
2006246157.tif 000002
【特許請求の範囲】
【請求項１】
提出先のサーバから配信された入力画面に指定された情報を文字や記号で入力して入力画面情報となし、入力された文字や記号情報を二次元コードに格納して同一画面に表示し、前記文字や記号および二次元コードが表示された提出文書画面を記録媒体に印刷する際の改竄防止方法であって、
入力画面には、ユニーク情報が生成され、生成されたユニーク情報は入力画面情報と共に記録媒体に印刷されることを特徴とする提出文書の改竄防止方法。
【請求項２】
請求項１に記載の提出文書の改竄防止方法において、
ユニーク情報は、画面の背景図柄情報、および、入力画面に一対一で生成され背景図柄情報の上に表示された入力画面管理番号、および、一つの入力項目が入力される度に変更され背景図柄情報の上に表示された日時情報であることを特徴とする提出文書の改竄防止方法。
【請求項３】
請求項２に記載の提出文書の改竄防止方法において、
提出文書は、入力画面管理番号および日時情報の背景図柄が、印刷された提出文書の背景図柄と異なっていれば改竄されていると判定されることを特徴とする提出文書の改竄防止方法。
【発明の詳細な説明】
【技術分野】
【０００１】
本発明は、申込先のサーバから配信された入力画面に入力情報を入力し、入力された入力情報を二次元コードに格納して同一画面に表示し、画面に表示された情報を印刷して提出する文書の、改竄防止方法に関する。
【背景技術】
【０００２】
それぞれの入力枠にプログラムが組み込まれて表示される入力画面（以下単に、入力画面という。）に入力された情報を同一画面に表示されたバーコードに格納して表示する技術が提案されている（例えば、特許文献１参照）。
このような技術を利用すれば、表示されたバーコードを読み取って紙に印刷された文書等を瞬時に送信したり登録することができる。
しかし、表示されている画面を一時ファイルし印刷を行い、印刷された文書等をイメージスキャナ等で編集することにより表示されている文字情報と異なる内容が格納されたバーコードを同一画面に表示させることができてしまう。
このように編集された画面が印刷されて提示されると、受け取った側ではバーコードに格納された内容は、表示された文字情報と同一であると判断し、バーコードを読み取って記載内容を保存してしまう。
例えば、インターネットで配信された口座開設申込画面に申込情報を入力し、前述のような改竄を行った印刷物で申請すると他人に成りすまして申込情報を登録することができる。
【０００３】
【特許文献１】特開２００３−１５０７９７号公報
【発明の開示】
【発明が解決しようとする課題】
【０００４】
前述の開示技術は、秘匿されるべき情報をバーコードに変換して表示するが、バーコードによって変換表示可能な文字数は限られているためにそれ以外の情報は秘匿できない。
また、コンピュータ画面上でのイメージ編集による改竄に対し何ら配慮されていない。
【課題を解決するための手段】
【０００５】
前記課題を解決するために、本発明の提出文書の改竄防止方法の、請求項１に記載の発明は、提出先のサーバから配信された入力画面に指定された情報を文字や記号で入力して入力画面情報となし、入力された文字や記号情報を二次元コードに格納して同一画面に表示し、前記文字や記号および二次元コードが表示された提出文書画面を記録媒体に印刷する際の改竄防止方法であって、入力画面には、ユニーク情報が生成され、生成されたユニーク情報は入力画面情報と共に記録媒体に印刷されることを特徴とするものである。
【０００６】
また、請求項２に記載の発明は、請求項１に記載の発明において、ユニーク情報は、画面の背景図柄情報、および、入力画面に一対一で生成され背景図柄情報の上に表示された入力画面管理番号、および、一つの入力項目が入力される度に変更され背景図柄情報の上に表示された日時情報であることを特徴とするものである。
【０００７】
また、請求項３に記載の発明は、請求項２に記載の発明において、提出文書は、入力画面管理番号および日時情報の背景図柄が、印刷された提出文書の背景図柄と異なっていれば改竄されていると判定されることを特徴とするものである。
【発明の効果】
【０００８】
１）請求項1に記載のように、提出先のサーバから配信された入力画面に指定された情報を文字や記号で入力して入力画面情報となし、入力された文字や記号情報を二次元コードに格納して同一画面に表示し、前記文字や記号および二次元コードが表示された提出文書画面を記録媒体に印刷する際の改竄防止方法であって、入力画面には、ユニーク情報が生成され、生成されたユニーク情報は入力画面情報と共に記録媒体に印刷されることによって、入力画面をイメージ編集によって改竄して、他人に成りすました提出文書が申込先に受理されることを防止することができる。
２）また、請求項２，３に記載のように、請求項１に記載の発明において、、提出文書は、ユニーク情報は、画面の背景図柄情報、および、入力画面に一対一で生成され背景図柄情報の上に表示された入力画面管理番号、および、一つの入力項目が入力される度に変更され背景図柄情報の上に表示された日時情報で、入力画面管理番号および日時情報の背景図柄が、印刷された提出文書の背景図柄と異なっていれば改竄されていると判定されることによって、例えば、別のコンピュータで開いた提出文書の入力画面で他人の情報をイメージ編集して事前に用意し、前述の入力画面のイメージキャプチャ画像に貼り付け、画面を印刷した場合入力画面管理番号の背景図柄情報と、提出文書の背景図柄が一致せず画像編集による不正（改竄）が行われた可能性があると判断することができる。
申込先で、二次元コードを二次元コード読取装置で読み取って申込書の文字情報と照合すれば内容が改竄されていることに気が付くが、改竄比率が少ない状況下では、自動的に二次元コード内容で登録してしまう。
しかしながら、前述のようにユニーク情報の表示欄で明確に不正状況が把握できるようになっていれば容易に発見することができる。
また、印刷物に前述のような異常部分が出現すれば、不正を行う意志が削がれてしまうという効果が期待できる。
【発明を実施するための最良の形態】
【０００９】
以下、図面を参照して、本発明の提出文書の改竄防止方法について説明する。
以下の説明では、本発明の提出文書の改竄防止方法について、提出文書を口座開設申込書（以下、単に、申込書という。）の例で説明する。
図１は、本発明の提出文書の改竄防止方法を実行するための装置について説明するためのブロック図，図２は、提出文書の入力画面の一例について説明するための図，図３は、申込み情報が入力された申込情報入力画面の一例について説明するための図，図４は、他の申込み情報が入力された申込情報入力画面の一例について説明するための図，図５は、印刷された改竄申込書の一例について説明するための図，図６は、印刷された改竄申込書の他の一例について説明するための図，である。
【００１０】
図１を参照して、本発明の提出文書の改竄防止方法を実行するための装置について説明する。
まず、金融機関の口座開設申込書の申込情報入力画面を配信する金融機関、または関連する会社の申し込み先装置１００として、申込情報入力画面を配信するサーバ１がインターネットに接続されている。
サーバ１には、申込書の申込情報入力画面情報，申し込まれた申込情報を保管する記憶装置１１が接続されている。
また、送付された申込書に記載された申込情報を登録するための入力端末１２が記憶装置１１に接続されている。
また、入力端末１２には、画面に表示された二次元コードを読んで、文字情報として入力端末１２の画面に表示するための二次元コード読取装置１３が接続されている。二次元コード読取装置１３は、スキャナであってもデジタルカメラであってもよい。
【００１１】
一方、申し込み側装置２００として、少なくとも、入力部，表示部，送受信部を有するパーソナルコンピュータに代表される通信端末２がネット上に接続されている。
また、通信端末２には、申込書を印刷するプリンタ３が、無線または有線で接続されている。
このプリンタ３は、フレキシブルディスクなどの記録媒体を読み取って記録内容を印刷するスタンドアロン型のプリンタであってもよい。
【００１２】
通信端末２の入力部によって、表示部に表示された入力画面の入力枠の中に氏名，住所，電話番号，メールアドレス，暗証番号を入力する。
入力画面右上方には、申込情報の入力終了，変更を指示するための「入力終了／変更」ボタンが表示されている。
また、画面底部には、ユニーク情報として入力画面に一対一で生成される「入力画面管理番号」，「背景図柄情報」、および、１つの入力項目の入力が終了する度に生成される「日時情報」が表示される。
画面底部に表示されるユニーク情報は、入力画面上では見える状態で表示されても、見えない状態で表示されてもよい。
本実施の形態では、判りやすいように、入力画面上では見える状態で表示される例で説明する。
前述のように、「入力画面管理番号」は、入力画面に固有の情報で、一入力画面に一情報が対応する状態で生成される。
申込情報の入力が終了したら、入力終了のボタンを押して入力済み画面をプリンタ３で印刷し申込書を作成する。
印刷された申込書の捺印欄に、金融機関に登録する「お届け印」、または、「登録印」（以下、登録印という。）で捺印する。
通常、申込書は２枚印刷し、１枚を送付控えとして保管する。
上記捺印された申込書４を金融機関、または、その関連会社に送付する。
【００１３】
図２を参照して、口座開設申込書の入力画面の一例について説明する。
申込情報入力画面２０は、印刷するとそのまま申込書として使用出来るデザインになっており、画面の中央右部分に捺印欄２０７が表示されている。
また、入力枠に入力された申込情報とユニーク情報を二次元コードに変換して表示するための二次元コード表示欄２０６が画面下部左側に設けられている。
申込情報入力画面２０は、電子フォームの機能を備えており、複数の入力枠にはそれぞれ編集プログラムが組み込まれている。
入力された情報がどのように扱われるかは、この編集プログラムによって決定される。
例えば、本実施の形態では、申込書として印刷される際に氏名入力枠２０１，住所入力枠２０２，電話番号入力枠２０３，メールアドレス入力枠２０４に入力された情報、および、図示しないが口座の種類等は文字情報で印刷し、暗証番号入力枠２０５に入力された情報は単一記号で印刷するプログラムなどが組み込まれている。
また、申込情報入力画面２０には、ユニーク情報として画面の底部の入力画面管理番号表示欄６，日時情報表示欄７に表示された情報を文字情報で印刷するプログラムが組み込まれている。
【００１４】
また、「入力終了／変更」ボタン２１には、「入力終了／変更」ボタンが押されたときに、それぞれの入力枠に入力された最終情報，表示されたユニーク情報を、文字情報のまま二次元コードに変換して二次元コード表示欄２０６に表示するプログラムが組み込まれている。
入力画面管理番号表示欄６には、入力画面管理番号が「１２３４５６７８９」と表示され、入力画面管理番号の背景には背景情報６１として「等間隔の横線模様」が生成されている。
背景情報６１は、申込書に印刷される際に入力画面管理番号６と共に破線部で切り取られ、印刷されるようになっている。
入力画面管理番号６と背景情報６１は、関連付けされて扱われ、二次元コード化される際にも関連付けされて二次元コード化される。
【００１５】
入力画面中央には、捺印欄２０７が形成されている。
申込書には、画面に表示された状態で捺印欄２０７が印刷され、登録する登録印の印影が押印される。
【００１６】
図３を参照して、申込み情報が入力された申込情報入力画面の一例について説明する。
氏名入力枠２０１には「日本太郎」，住所入力枠２０２には「東京都新宿区○○町一丁目１２３番地」，電話番号入力枠２０３には「０３−１２３４−５６７８」，メールアドレス入力枠２０４には「ｎｔａｒｏ＠ａｂｃ．ｎｅ．ｊｐ」，暗証番号入力枠２０５には「１２５６」なる申込情報が入力されている。
また、ユニーク情報として入力画面管理番号表示欄６には「１２３４５６７８９」，背景図柄情報表示欄６１には「等間隔の横線模様」，日時情報表示欄７には「０５−０３−０４−２０：１４：２７」（２００５年３月４日２０時１４分２７秒を表す。）と表示されている。
前述の申込情報入力画面に表示された一連の表示情報が二次元コード５に変換されて、二次元コード表示欄に表示される。
以下の説明で他の二次元コードと区別するために、二次元コード５に「太郎」のイニシャル「Ｔ」の白抜き文字を表示する（実際に使用される二次元コードには可視光領域で、目視可能状態で表示することはできない）。
【００１７】
図４を参照して、他の申込み情報が入力された申込情報入力画面の一例について説明する。
図４では、図３で説明した申込情報に近似な情報が入力されている。
例えば、氏名入力枠２０１には「日本次郎」，住所入力枠２０２には「東京都新宿区○○町二丁目１３２番地」，電話番号入力枠２０３には「０３−５６７８−１２３４」，メールアドレス入力枠２０４には「ｎｊｉｒｏ＠ａｃｃ．ｎｅ．ｊｐ」，暗証番号入力枠２０５には「７８９０」と入力されている。
また、画面底部にはユニーク情報として、入力画面管理番号表示欄６０には「１２３４５６９８０」，背景図柄情報表示欄６１０には「等間隔の斜線模様」，さらに、日時情報表示欄７０には「０５−０３−０４−２２：１１：０５」が表示されている。
また、前述の申込情報入力画面に表示された一連の表示情報が二次元コード５１に変換されて、二次元コード表示欄に表示されている。
二次元コード５には、「次郎」のイニシャル「Ｊ」の白抜き文字が便宜的に表示されている。
【００１８】
ここで、二次元コードについて説明する。
二次元コードは、水平，垂直方向に情報を有し、可視光や赤外光による読取装置，デジタルカメラなどの読取手段によって読み取られる。
二次元コードには、マトリックス型二次元コードとスタック型二次元コードがある。
マトリックス型二次元コードには、データコード，マキシコード，ＣＰコード，ＱＲコード等の種類があり、スタック型二次元コードには、ＰＤＦ４１７，コード４９，コード１６Ｋ，コーダブロック等の種類がある。
図に示すコードはＰＤＦ４１７で、最大データ量として、英数字の場合は約２７００文字、漢字の場合は約５５０文字を表現（内包）することができる。
【００１９】
図５を参照して、印刷された改竄申込書の一例について説明する。
申込書４には、暗証番号は「＊」で印刷され、それ以外の項目は文字情報で印刷されている。
また、ユニーク情報としては、入力画面管理番号表示欄６０には「１２３４５６９８０」が、背景図柄情報表示欄６１０には「等間隔の斜線模様」が、さらに、日時情報表示欄７０には「０５−０３−０４−２２：１１：０５」が印刷されている。
捺印欄２０７には「日本太郎」の登録印の印影４１が押印され、二次元コード５１として、「次郎」のイニシャル「Ｊ」の白抜き文字をが表示された二次元コードが貼付されている。
申込書４には、本来貼付されるべき「日本太郎＝Ｔ」の二次元コードが「日本次郎＝Ｊ」の二次元コードにすりかえられて貼付され、印刷されて送付された。即ち、「日本太郎」は、「日本次郎」に成りすまして申込書４を申請した。
【００２０】
ところが、ユニーク情報が申込情報と一緒に印刷されるようにプログラムされているために、入力画面管理番号表示欄６０には「１２３４５６９８０」が、日時情報表示欄7０には「０５−０３−０４−２２：１１：０５」が、さらに、背景図柄情報表示欄６１０には「等間隔の斜線模様」が印刷されている（これは、日本次郎の入力画面に対応したユニーク情報である）。
送付先では、印刷された申込書４の二つのユニーク情報表示欄（入力画面管理番号表示欄と日時情報表示欄）の背景図柄情報が申込書全体の背景図柄と異なっていることに気が付き、この申込書４は改竄されていると判断する。
【００２１】
図６を参照して、印刷された改竄申込書の他の一例について説明する。
図５で説明した一例と同様、申込情報の暗証番号は「＊」で印刷され、それ以外の項目は文字情報で印刷されている。
捺印欄２０７には「日本太郎」の登録印の印影４１が押印され、二次元コード５１として、「次郎」のイニシャル「Ｊ」の白抜き文字をが表示された二次元コードが貼付されている。
一方、ユニーク情報として、入力画面管理番号表示欄６には「１２３４５６７８９」，その背景図柄情報表示欄６１には「等間隔の横線模様」（これは、日本太郎の入力画面に対応した情報である）、および、日時情報表示欄７０には「０５−０３−０４−２２：１１：０５」，その背景図柄情報表示欄６１０には「等間隔の斜線模様」（これは、日本次郎の入力画面に対応した情報である）が印刷されている。
送付先では、印刷された申込書４の日時情報表示欄の背景図柄情報が申込書全体の背景図柄と異なっていることに気が付き、この申込書４は改竄されていると判断する。
【００２２】
前述の改竄は、申込先で、二次元コードを二次元コード読取装置で読み取って申込書の文字情報と照合すれば発見されるが、改竄比率が少ない状況下では、入力方法に誤りが無ければ二次元コード内容で自動的に登録されてしまう。
前述のようにユニーク情報の表示欄で明確に不正状況が把握できるようになっていれば容易に発見することができる。
【産業上の利用可能性】
【００２３】
インターネットで配信された画面をプリントして送付する申込分野に広く利用できる。
【図面の簡単な説明】
【００２４】
【図１】本発明の提出文書の改竄防止方法を実行するための装置について説明するためのブロック図である。
【図２】提出文書の入力画面の一例について説明するための図である。
【図３】申込み情報が入力された申込情報入力画面の一例について説明するための図である。
【図４】他の申込み情報が入力された申込情報入力画面の一例について説明するための図である。
【図５】印刷された改竄申込書の一例について説明するための図である。
【図６】印刷された改竄申込書の他の一例について説明するための図である。
【符号の説明】
【００２５】
１      サーバ
２      通信端末
３      プリンタ
４      申込書
５，５１  二次元コード
６，６０  入力画面管理番号，入力画面管理番号表示欄
７，７０  日時情報，日時情報表示欄
１１    記憶装置
１２    入力端末
１３    二次元コード読取装置
２０    申込情報入力画面
２１    入力終了／変更ボタン
２２    確認ボタン
２３    登録ボタン
４１    印影
６１，６１０  背景図柄情報，背景図柄情報表示欄
１００  申し込み先装置
２００  申込側装置
２０１  氏名入力枠
２０２  住所入力枠
２０３  電話番号入力枠
２０４  メールアドレス入力枠
２０５  暗証番号入力枠
２０６  二次元コード表示欄
２０７  捺印欄
【図１】
2006246157.tif 000003
【図２】
2006246157.tif 000004
【図３】
2006246157.tif 000005
【図４】
2006246157.tif 000006
【図５】
2006246157.tif 000007
【図６】
2006246157.tif 000008